【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
ダイヤモンドの発光特性における１又は複数の特定のマーカの有無を試験することによって、前記ダイヤモンドが天然であるかどうかについての前記ダイヤモンドの指標を提供する方法であって、前記マーカは、発光減衰時間及び発光波長によって特徴付けられ、前記方法は：
電磁放射の少なくとも１つの励起パルスで前記ダイヤモンドを照射するステップと、
前記励起パルス中及び／又は前記励起パルスの後に、発光データを得るために前記励起パルスに対して所定の時間関係を有する少なくとも１つの時間窓で前記ダイヤモンドによって放出される光を検出するステップであって、前記時間窓又はそれぞれの前記時間窓は、前記マーカの１又は複数の減衰時間特性を有する発光を含むように選択される、ステップと、
前記の１又は複数のマーカの有無を確立するために前記発光データを分析するステップと、
を含む、
方法。
【請求項２】
それぞれの前記励起パルスに関連するそれぞれの前記時間窓の前記発光データから画像を得るステップを含む、
請求項１に記載の方法。
【請求項３】
前記ダイヤモンドを複数の励起パルスで照射するステップと、
それぞれの前記励起パルスに関連する少なくとも１つの時間窓から発光データを得るために前記ダイヤモンドによって放出される光を検出するステップと、
をさらに含み、
前記時間窓又はそれぞれの前記時間窓は次の前記励起パルスの開始前に閉じられる、
請求項１に記載の方法。
【請求項４】
前記励起パルスの全てに関連する前記発光データを組み合わせるステップをさらに含む、
請求項３に記載の方法。
【請求項５】
前記発光データを組み合わせるステップは、それぞれの前記励起パルスに関連する特定の時間窓内で得られる前記発光データを、その時間窓内で放出される前記光の平均化された画像又はスペクトルを生成するよう、前記励起パルスの全てにわたって平均化するステップを含む、
請求項４に記載の方法。
【請求項６】
それぞれの前記励起パルスに関連するそれぞれの前記時間窓に関して前記発光データから画像を得るステップを含み、前記発光データを組み合わせるステップは、前記励起パルスの全てについての特定の時間窓からの前記画像をユーザに表示するステップを含む、
請求項４又は５に記載の方法。
【請求項７】
前記画像は、前記ユーザにビデオの形態で表示される、
請求項６に記載の方法。
【請求項８】
前記励起パルスのソースを光検出器と同期させるステップをさらに含む、
請求項１乃至７のいずれか１項に記載の方法。
【請求項９】
前記発光データが燐光データを含むように、関連する前記励起パルスが終了した後に時間窓を開くステップをさらに含む、
請求項１乃至８のいずれか１項に記載の方法。
【請求項１０】
前記発光データが蛍光データを含むように、関連する前記励起パルスの開始と同時に又は前記関連する励起パルスの開始の直後に時間窓を開き且つ前記関連するパルスが終了する前又は前記関連するパルスが終了すると同時に前記時間窓を閉じるステップをさらに含む、
請求項１乃至９のいずれか１項に記載の方法。
【請求項１１】
１より多い前記マーカの有無を試験するステップを含む、
請求項１乃至１０のいずれか１項に記載の方法。
【請求項１２】
前記１又は複数のマーカのうちの１つは、約８０ｍｓ未満の減衰時間及び約４５０ｎｍでピークに達する波長帯の発光を含む青色の速い燐光マーカである、
請求項１乃至１１のいずれか１項に記載の方法。
【請求項１３】
前記青色の速い燐光マーカの試験は、前記励起パルスの終了時又は前記励起パルスの終了後に開き且つ関連する前記励起パルスの終了の約８０ミリ秒後に終了する時間窓で、約４５０ｎｍでピークに達する発光帯について試験することを含む、
請求項１２に記載の方法。
【請求項１４】
前記青色の速い燐光マーカの存在は、前記ダイヤモンドが天然のＩＩａ型又はＩａ型ダイヤモンドであることの指標である、
請求項１２又は１３に記載の方法。
【請求項１５】
前記１又は複数のマーカのうちの１つは、約８０ミリ秒より大きい減衰時間及び約４８０ｎｍでピークに達する波長を有する発光を含む青緑色の遅い燐光マーカである、
請求項１乃至１４のいずれか１項に記載の方法。
【請求項１６】
前記青緑色の遅い燐光マーカの試験は、関連する前記励起パルスの終了の約８０ミリ秒後に開く時間窓で、約４８０ｎｍを中心とする発光帯について試験することを含み、前記時間窓はオプションで、前記関連する励起パルスの前記終了の約５００ｍｓ後に閉じる、
請求項１５に記載の方法。
【請求項１７】
前記青緑色の遅い燐光マーカの存在は、前記ダイヤモンドがＩＩｂ型ダイヤモンドであるという指標である、
請求項１５又は１６に記載の方法。
【請求項１８】
前記１又は複数のマーカのうちの１つは、約５３０ｎｍから約５５０ｎｍの間の波長及び８０ミリ秒より大きい減衰時間を有する発光を含む緑色の遅い燐光マーカである、
請求項１乃至１７のいずれか１項に記載の方法。
【請求項１９】
前記緑色の遅い燐光マーカの試験は、関連する前記励起パルスの終了のほぼ後に開く時間窓で、約５３０ｎｍから約５５０ｎｍの間の発光帯について試験することを含み、前記時間窓はオプションで前記関連する励起パルスの前記終了の約５００ｍｓ後に閉じる、
請求項１８に記載の方法。
【請求項２０】
前記緑色の遅い燐光マーカの存在は、前記ダイヤモンドがさらなる試験に差し向けられるべきであるという指標である、
請求項１８又は１９に記載の方法。
【請求項２１】
前記１又は複数のマーカのうちの１つは、前記励起パルスが終了した後の無視できる発光を含む欠如マーカである、
請求項１乃至２０のいずれか１項に記載の方法。
【請求項２２】
前記欠如マーカの存在は、前記ダイヤモンドがさらなる試験に差し向けられるべきであるという指標である、
請求項２１に記載の方法。
【請求項２３】
前記１又は複数のマーカのうちの１つは、約５３５ｎｍから約６００ｎｍの間の波長及び１ミリ秒未満の減衰時間を有する発光を含むオレンジ色の長寿命蛍光マーカである、
請求項１乃至２２のいずれか１項に記載の方法。
【請求項２４】
前記オレンジ色の長寿命蛍光マーカの存在は、前記ダイヤモンドがさらなる試験に差し向けられるべきであるという指標である、
請求項２３に記載の方法。
【請求項２５】
前記１又は複数のマーカのうちの１つは、約５７５ｎｍから約６９０ｎｍの間の波長及び１ミリ秒より大きい減衰時間を有する発光を含む赤色の燐光マーカである、
請求項１乃至２４のいずれか１項に記載の方法。
【請求項２６】
前記赤色の燐光マーカの存在は、前記ダイヤモンドがさらなる試験に差し向けられるべきであるという指標である、
請求項２５に記載の方法。
【請求項２７】
前記１又は複数のマーカのうちの１つは、約５１０ｎｍの波長を有する弱い緑色の蛍光マーカである、
請求項１乃至２６のいずれか１項に記載の方法。
【請求項２８】
前記弱い緑色の蛍光マーカの試験は、前記励起パルスと同期した前記時間窓での試験を含む、
請求項２７に記載の方法。
【請求項２９】
前記弱い緑色の蛍光マーカの存在は、前記ダイヤモンドがさらなる試験に差し向けられるべきであるという指標である、
請求項２７又は２８に記載の方法。
【請求項３０】
前記励起パルスの前記電磁放射は、紫外線スペクトルにあり、オプションで、２２５ｎｍ以下の波長を有する、
請求項１乃至２９のいずれか１項に記載の方法。
【請求項３１】
ダイヤモンドの発光特性を測定することによって前記ダイヤモンドが天然であるかどうかについての指標を提供するための装置であって、前記装置は：
電磁放射のソースと、
前記ダイヤモンドによって放出される可視光をキャプチャする光検出装置と、
制御システムであって、
前記ソースと前記光検出装置とを同期させ、
前記ソースに電磁放射の少なくとも１つの励起パルスで前記ダイヤモンドを照射させ、且つ
前記光検出装置に、発光データを得るために前記励起パルスに対して所定の時間関係を有する少なくとも１つの時間窓の中で前記ダイヤモンドによって放出される可視光をキャプチャさせる、
ように構成される、制御システムと、
を有し、
前記時間窓又はそれぞれの前記時間窓は、前記ダイヤモンドの前記発光特性における１又は複数の特定のマーカを包含するように選択され、前記マーカは、発光減衰時間及び発光波長によって特徴付けられるとともに、前記ダイヤモンドが天然であるかどうかの指標を提供する、
装置。
【請求項３２】
前記制御システムは、前記ソースに一連の励起パルスで繰り返し前記ダイヤモンドを照射させるように構成され、前記少なくとも１つの時間窓は、各前記励起パルスに関連付けられるとともに後続の励起パルスの開始前に閉じるように構成される、
請求項３１に記載の装置。
【請求項３３】
マーカが存在するかどうかを判定するために、前記励起パルス又は各前記励起パルスに関連する前記発光データを分析するプロセッサをさらに有する、
請求項３１又は３２に記載の装置。
【請求項３４】
前記プロセッサは、前記励起パルスの全てに関連する前記発光データを組み合わせるように構成される、
請求項３３に記載の装置。
【請求項３５】
前記プロセッサは、多くの前記励起パルスにわたって取得された前記発光データを平均することによって前記発光データを組み合わせるように構成される、
請求項３４に記載の装置。
【請求項３６】
前記プロセッサは、それぞれの前記励起パルスに関連するそれぞれの前記時間窓の前記発光データから画像を得るように構成される、
請求項３３乃至３５のいずれか１項に記載の装置。
【請求項３７】
前記画像をユーザに表示するための表示装置をさらに有する、
請求項３６に記載の装置。
【請求項３８】
前記表示装置は、前記励起パルスの全てに関して特定の時間窓からの前記画像をユーザに表示するように構成される、
請求項３７に記載の装置。
【請求項３９】
前記時間窓又は複数の前記時間窓は、前記ダイヤモンドの前記発光特性における１より多い前記マーカを包含するように選択される、
請求項３１乃至３８のいずれか１項に記載の装置。
【請求項４０】
ダイヤモンドの燐光を測定するように構成され、前記制御システムは、前記光検出装置を、関連する前記励起パルスが終了した後に開く時間窓の中で可視光をキャプチャするように設定する、
請求項３１乃至３９のいずれか１項に記載の装置。
【請求項４１】
ダイヤモンドの蛍光を測定するように構成され、前記制御システムは、前記光検出装置を、関連する前記励起パルスが始まると同時に開き且つ前記関連する励起パルスが終了する前に又は前記関連する励起パルスが終了すると同時に閉じる時間窓の中で可視光をキャプチャするように設定する、
請求項３１乃至４０のいずれか１項に記載の装置。
【請求項４２】
前記制御システムは、前記励起パルスの開始又は前記励起パルスの終了に対する時間窓開始時間、時間窓の長さ、励起パルスの数、励起パルスの周波数のうちの１又は複数がオペレータ制御可能にできるように構成される、
請求項３１乃至４１のいずれか１項に記載の装置。
【請求項４３】
前記制御システムは、ユーザが前記励起パルスをトリガすることを可能にするように構成される、
請求項３１乃至４２のいずれか１項に記載の装置。
【請求項４４】
前記装置は、前記ダイヤモンドが天然であるかどうか、又はさらなる分析が必要とされるかどうかを、視覚的又は聴覚的に示すように構成される、
請求項３１乃至３５のいずれか１項に記載の装置。
【請求項４５】
前記励起パルスの前記電磁放射は、紫外線スペクトルにある、
請求項３１乃至４４のいずれか１項に記載の装置。